(57)【要約】  【課題】  身体障害者であっても開閉扉３や抽斗のラッチ解除が簡単にできるラッチ装置を提供する。  【解決手段】  回動式開閉扉３の前面板９に把手ハウジング６をその前面開放状の収納部１１が前面板９の裏面側に臨むように固定し、前面板９の裏面側には、軸線周りに正逆回動可能で家具本体の係合部に対して係脱操作するためのラッチ軸１４を枢支し、収納部１１内に配置する把手体７をラッチ軸１４に取り付け、把手体７には、ラッチ解除方向に操作可能な押し操作部２４と引き操作部２５とを有し、押し操作部２４及び引き操作部２５はラッチ軸１４の軸線を挟んで対峙した位置に形成され、且つラッチ保持位置で押し操作部２４は把手ハウジング６の前面の外周縁部２０（２０ａ）より前方に大きく突出するように形成し、引き操作部２５は収納部１１内に位置するように形成する。また、押し操作部２４の表面積も大きく形成する。  【選択図】  図５
2005155084.tif 000002
【特許請求の範囲】
【請求項１】
家具本体に設けた回動式開閉扉または前後引き出し動可能な抽斗の前面板に把手ハウジングをその前面開放状の収納部が前面板の裏面側に臨むように固定し、
前記前面板の裏面側には、軸線周りに正逆回動可能で家具本体の係合部に対して係脱操作するためのラッチ軸を枢支し、
前記収納部内に配置する把手体を前記ラッチ軸に取り付け、
前記把手体には、ラッチ解除方向に操作可能な押し操作部と引き操作部とを有し、前記押し操作部及び引き操作部は前記ラッチ軸の軸線を挟んで対峙した位置に形成され、且つ押し操作部は前記把手ハウジングの前面より前方に突出するように形成し、引き操作部は前記収納部内に位置するように形成されていることを特徴とする家具におけるラッチ装置。
【請求項２】
前記ラッチ軸の先端部には、係止爪が家具本体の係合部に向って突出するように付勢手段にて付勢された係止体を前記ラッチ軸の軸線と平行にのみ摺動自在に被嵌し、
前記係止体が前記ラッチ軸に被嵌する基部と、前記係止体の基部より先端寄り部位に前記ラッチ軸と一体的に回動する回転子とには、両者が相対向する部位に、前記ラッチ軸の正方向への回動に応じて係止体の係止爪が前記係合部に対してラッチ解除するように離れる傾斜摺接面を形成したことを特徴とする請求項１に記載の家具におけるラッチ装置。
【請求項３】
前記ラッチ軸がラッチ保持位置に回動した姿勢のとき、前記押し操作部が、前記前面板より前方に突出させる姿勢に保持させるように前記付勢手段を設けたことを特徴とする請求項２に記載の家具におけるラッチ装置。
【請求項４】
前記把手ハウジングの外周縁部を前記前面板より前方に位置させ、前記外周縁部の前面のうちラッチ軸の正逆回動方向に沿う中途部を前記押し操作部の突出量より低いなだらかな中高状に形成したことを特徴とする請求項１ないし３のいずれかに記載の家具におけるラッチ装置。
【請求項５】
前記開閉扉及び抽斗は、家具本体に対して開き方向に付勢されていることを特徴とする請求項１乃至４のいずれかに記載の家具におけるラッチ装置。
【発明の詳細な説明】
【技術分野】
【０００１】
本発明はロッカー、キャビネット等の家具における回動式開閉扉や抽斗等に対するラッチ装置に関するものである。
【背景技術】
【０００２】
ロッカー、キャビネット等の家具における回動式開閉扉や抽斗の前面板に設けた把手部材の正方向及び逆方向のいずれの方向に回動させても、前記開閉扉や抽斗等に対するラッチ装置をロック解除できるようにしたものが特許文献１等にて開示されている。
【０００３】
特許文献１に記載の構成のものは、扉の自由端縁内側に当該扉の回動軸と略平行に配設した一本の長手ラッチ杆を回動自在に軸支すると共に、前面板には引手孔を形成し、該引手孔内に前記ラッチ杆に取り付く把手部材を設ける等して扉前面からの操作でラッチ杆を回転し得るよう回転させる一方、前記ラッチ杆両端部近傍には、ラッチ杆の回動軸線と平行な軸線回りに回動することによって鉤部が家具本体に係脱するようにした鉤状ラッチ爪を配設し、このラッチ爪と前記ラッチ杆とを直接又は間接的に関連させ、前記扉前面からのラッチ杆の回転操作に応じてラッチ杆を家具本体に係脱させ得るよう構成したものである。
【０００４】
しかし、このようにラッチ爪を鉤状に形成し回動によって係止させるようにしたものにおいては、ラッチ爪は家具本体に対して単に引っ掛った状態で係止するに過ぎないため係合が十分でなく外れ易いことがあり、又、開扉状態ではラッチ爪が扉裏面から突出しているため外観も悪くなるという欠点があった。
【０００５】
これに代えて、特許文献２に記載のラッチ装置は、把手部材によってラッチ軸はその軸線周りに回動し、ラッチ軸の回動に応じてラッチ装置における係止爪（ラッチ爪）は扉の端面から出没する、いわゆる閂形式に構成したものであり、把手部材を一方向に回動させるとき、ラッチ解除され、手を離すと把手部材及びラッチ軸はラッチ保持方向に復元する構成であった。
【特許文献１】特開平９−３２２８３３号公報
【特許文献２】実公平２−４０７０５号公報
【発明の開示】
【発明が解決しようとする課題】
【０００６】
ところで、特許文献２に記載のように、ラッチ解除するために把手部材を一方向にのみ回動させるタイプでは、その把手をラッチ解除する方向に操作すべきことをユーザに的確に（視認にて直感的に）認識させる必要がある。
【０００７】
しかしながら、従来は、そのような形態の把手部材はデザインされてこなかった。また、近年には、老齢者や身体障害者などの弱者にも使い勝手の良い家具に対する要求が多くなり、それに対して家具メーカも要望に応えるべく優れた形状等のデザインの家具を市場に送り出しているが、家具におけるラッチ装置、特にその把手部分に関して前記視認性と使い勝手（操作性）の両方を満足するものがなかった。
【０００８】
本発明は、前記課題を解決すべくなされたものであって、視認性と操作性が優れ、弱者に対するサポート（援護）機能を有する家具におけるラッチ装置を提供することを目的とするものである。
【課題を解決するための手段】
【０００９】
前記目的を達成するため、請求項１に記載の発明の家具におけるラッチ装置は、家具本体に設けた回動式開閉扉または前後引き出し動可能な抽斗の前面板に把手ハウジングをその前面開放状の収納部が前面板の裏面側に臨むように固定し、前記前面板の裏面側には、軸線周りに正逆回動可能で家具本体の係合部に対して係脱操作するためのラッチ軸を枢支し、前記収納部内に配置する把手体を前記ラッチ軸に取り付け、前記把手体には、ラッチ解除方向に操作可能な押し操作部と引き操作部とを有し、前記押し操作部及び引き操作部は前記ラッチ軸の軸線を挟んで対峙した位置に形成され、且つ押し操作部は前記把手ハウジングの前面より前方に突出するように形成し、引き操作部は前記収納部内に位置するように形成されているものである。
【００１０】
請求項２に記載の発明は、請求項１に記載の家具におけるラッチ装置において、前記ラッチ軸の先端部には、係止爪が家具本体の係合部に向って突出するように付勢手段にて付勢された係止体を前記ラッチ軸の軸線と平行にのみ摺動自在に被嵌し、前記係止体が前記ラッチ軸に被嵌する基部と、前記係止体の基部より先端寄り部位に前記ラッチ軸と一体的に回動する回転子とには、両者が相対向する部位に、前記ラッチ軸の正方向への回動に応じて係止体の係止爪が前記係合部に対してラッチ解除するように離れる傾斜摺接面を形成したものである。
【００１１】
請求項３に記載の発明は、請求項２に記載の家具におけるラッチ装置において、前記ラッチ軸がラッチ保持位置に回動した姿勢のとき、前記押し操作部が、前記前面板より前方に突出させる姿勢に保持させるように前記付勢手段を設けたものである。
【００１２】
請求項４に記載の発明は、請求項１ないし３のいずれかに記載の家具におけるラッチ装置において、前記把手ハウジングの外周縁部を前記前面板より前方に位置させ、前記外周縁部の前面のうちラッチ軸の正逆回動方向に沿う中途部を前記押し操作部の突出量より低いなだらかな中高状に形成したものである。
【００１３】
請求項５に記載の発明は、請求項１乃至４のいずれかに記載の家具におけるラッチ装置において、前記開閉扉及び抽斗は、家具本体に対して開き方向に付勢されているものである。
【発明の効果】
【００１４】
請求項１に記載の発明によれば、把手体の引き操作部を引き操作するか、押し操作部を押し操作することにより、把手体は同じ方向に回動して開閉扉もしくは抽斗のラッチを簡単にラッチ解除でき、操作性が優れている。そして、作業者（ユーザ）が両手に荷物を持っている場合や、身体障害者のように手を使えない、もしくは指の力が弱い人の場合には、前記前面板より大きく突出している把手体における押し操作部の前面を、作業者の前腕部の外面や肘、掌にて前面板方向に押すだけで、前述のようにラッチ解除でき、これらの人であっても開閉扉の開き操作が至極容易になり、支援性（サポート性）が優れている。
【００１５】
しかも、押し操作部は前記把手ハウジングの前面より前方に突出するように形成されている一方、引き操作部は前記収納部内に位置するように形成されているので、把手体についてのラッチ解除のための押し、引きの箇所を直ちに視認できるという効果を奏する。
【００１６】
さらに、把手体における押し操作部が把手ハウジングの前面より前方に大きい面積で突出しているから、老齢者や身体障害者などの弱者にも使い勝手が良く、支援性（サポート性）が優れている。
【００１７】
請求項２に記載の発明によれば、ラッチ軸の先端部には、係止爪が家具本体の係合部に向って突出するように付勢手段にて付勢された係止体を前記ラッチ軸の軸線と平行にのみ摺動自在に被嵌し、前記係止体が前記ラッチ軸に被嵌する基部と、前記係止体の基部より先端寄り部位に前記ラッチ軸と一体的に回動する回転子とには、両者が相対向する部位に、前記ラッチ軸の正方向への回動に応じて係止体の係止爪が前記係合部に対してラッチ解除するように離れる傾斜摺接面を形成したものであるから、回動式の開閉扉と引き戸とに同じ形態のラッチ装置を共用でき、製造コストを低減できるという効果を奏する。
【００１８】
請求項３に記載の発明によれば、前記付勢手段の付勢力により、ラッチ軸がラッチ保持位置に回動した姿勢のとき、把手体の押し操作部が、前面板より前方に突出させる姿勢に保持させることができるから、作業者は把手体からラッチ解除方向への操作力を抜くだけで、簡単に元の状態に戻すことができるという効果を奏する。
【００１９】
請求項４に記載の発明によれば、前面板に対して斜め方向に押し操作部の前面を押す場合に、外周縁部の前面に沿って作業者の前腕部や肘を覆う服の袖がずれ動くが、前述ように、ラッチ解除方向に沿う外周縁部の中途がなだらかな凸湾曲状の中高部に形成されていると把手体と外周縁部との隙間に、服の袖や手が挟まれ難くなるという効果を奏する。
【００２０】
請求項５に記載の発明によれば、把手体における押し操作部の前面を、作業者の前腕部の外面や肘、掌にて前面板方向に押すだけで、前述のようにラッチ解除できると共に開放付勢手段の付勢力にて開閉扉の自由端縁が間口から前方に移動するので、両手に荷物を持っている人や身体障害者であっても簡単に開閉扉や抽斗を開くことができるという効果を奏する。
【発明を実施するための最良の形態】
【００２１】
次に本発明を実施するための実施形態について、図面を参照しながら説明する。図１〜図１４は第１実施形態を示し、図１は引き戸２、回動両開き式の開閉扉３、抽斗４等を備えたキャビネット１の正面図、図２は下段に複数の抽斗４を備え上段に回動式の開閉扉３を備えたキャビネット１の斜視図、図３は開閉扉３における前面板とラッチ装置５における把手体７及び把手ハウジング６の斜視図、図４は開閉扉３の裏面側から見たラッチ装置５の図、図５は把手部分の横断面図、図６はラッチ装置５の各部品の拡大斜視図、図７〜図１２はラッチ装置の各部品図、図１３（ａ）及び図１３（ｂ）は作用説明図である。
【００２２】
図１及び図２に示すように、書籍棚等の家具本体の一例としてのキャビネット１の正面に開口部を開閉するための左右一対の回動両開き式の開閉扉３と、上下多段の抽斗４とを備え、右側の開閉扉３及び抽斗４の金属薄板製の各前面板９には、本発明のラッチ装置５を取り付けする。なお、図１に示すように、車椅子に座った人や子供等の身長の低いユーザ、両手に荷物を持っているユーザが肘等でキャビネット１の上段の開閉扉３の把手部分（把手体７）を操作して開くことができるように、通常より低い位置（開閉扉３の上下寸法の略中央部位より下方位置）にラッチ装置５が取り付けられておいる。また、下段の開閉扉３に対しては通常より高い位置（開閉扉３の上下寸法の略中央部位より上方位置）にラッチ装置５が取り付けられている。これにより、車椅子に座った人等が大きく屈み込むことなくラッチ装置５における把手部分（把手体７）に手や掌が届いて操作可能となる。本発明のラッチ装置５を開閉扉３に装着する場合には、その前面板９の裏面側にてラッチ軸１４が縦（垂直）方向に長く配置され、ラッチ機構部１２が開閉扉３の上下端部に配置される。抽斗４にラッチ装置５を適用する場合には同じく前面板９の裏面側にてラッチ軸１４が横（水平）方向に長く配置され、ラッチ機構部１２が前面板９の左右端部に配置されるというように配置の向きが変わるだけであるので、以下、開閉扉３に適用した実施形態について詳述する。
【００２３】
ラッチ装置５は、前面開放状の収納部１１を有する把手ハウジング６及び把手体７とからなる把手部１０と、開閉扉３または抽斗４をキャビネット１の本体における係合部１３に対して係脱するラッチ機構部１２と、把手体９の操作力をラッチ機構部１２に伝達するための回動可能なラッチ軸１４とから構成されている。
【００２４】
把手ハウジング６及び把手体７はＡＢＳ樹脂、ＰＰ（ポリエチレン）、ＰＥＴ（ポリエチレンテレフタレート）等の合成樹脂製の射出成形品である。ラッチ機構部１２は、座体１５と回転子１６と係止体１７とからなり、これらはポリアセタール樹脂等の耐摩耗性、耐疲労性に優れた合成樹脂製の射出成形品である。
【００２５】
開閉扉３の自由端縁３ａの近傍における前面板９には、正面視でほぼ矩形状の取り付け孔１８を穿設し、この取り付け孔１８に対して、図４、図５及び図８（ａ）〜図８（ｃ）に示すように、前面開放したカップ状の収納部１１を有する把手ハウジング６を前面板９の裏面側に向かって押し込んで固定する。収納部１１の半分は切欠きして開放部１９とする。この開放部１９には把手体７の回動ボス部２２をラッチ軸１４の軸線周りに回動可能に支持できるほぼ半円状の軸受部２３が形成されている（図８（ｃ）参照）。収納部１１の前端には取り付け孔１８の周囲前側を覆うための外周縁部２０が一体的に形成されている（図８（ａ）〜図８（ｃ）参照）。
【００２６】
把手ハウジング６における収納部１１を形成するための底板１１ａの外面には、外周縁部２０の裏面の近くに、複数の固定用の係合爪２１が一体的に突設されており、把手ハウジング６を取り付け孔１８に嵌め入れると、係合爪２１と外周縁部２０の裏面との間で前面板９が挟まれて抜け不能となるように構成されている。
【００２７】
外周縁部２０は開閉扉３の前面板９の前面に当接し、この外周縁部２０のうち、ラッチ軸１４の延びる方向と直交する方向に延びる部位の前面は、なだらかな凸湾曲面にて中高部２０ａに形成されている（図５，図８（ｃ）参照）。
【００２８】
把手体７は、図５、図９（ａ）〜図９（ｄ）に示すように、横断面四角状などのラッチ軸１４をラッチ解除方向（実施形態では図５及び図７で時計方向、矢印Ａ方向であり正方向という）に操作可能な押し操作部２４と引き操作部２５とを一体的に有するように射出成形されている。そして、押し操作部２４及び引き操作部２５はラッチ軸１４の軸線を挟んで対峙した位置に形成され、図５に示すように、押し操作部２４はラッチ解除方向（矢印Ａ方向、正方向）の下流側に配置され、引き操作部２５は上流側に配置されるものである。押し操作部２４及び引き操作部２５共に正面視でほぼ矩形状の大きい面積を有しているので、操作し易い。特に、作業者の前腕部、掌、肘で押すには、押し操作部２の表面積が大きいことが望ましい。
【００２９】
そして、ラッチ状態（ひいてはラッチ軸１４の復元回動状態）において、押し操作部２４は把手ハウジング６における中高状の外周縁部２０（２０ａ）の前面より前方に突出するように形成され、引き操作部２５は収納部１１内に位置するように形成されているものである。実施形態では、横断面ほぼ三角形状に形成され、前記中高部２０ａから押し操作部２４の最突出部までの寸法Ｈ１はほぼ７ｍｍ〜１０ｍｍ程度であり、開閉扉３の前面板９と直交する方向でのラッチ軸１４の軸線から押し操作部２４の最突出部までの偏心寸法Ｈ２はほぼ１０ｍｍ程度とする。開閉扉３の前面板９と直交する方向でのラッチ軸１４の軸線から引き操作部２５の最突出部までの偏心寸法はほぼ２２ｍｍ程度とする。
【００３０】
なお、把手体７の裏面側には、ラッチ軸１４を抱持して固定するための取付け凹所２６が形成されており、この取付け凹所２６内には嵌め込んだラッチ軸１４を外れないようにするための係合爪２７が複数形成されている。
【００３１】
次に、ラッチ機構部１２について説明する。前記把手体７に取付けられた１本のラッチ軸１４は開閉扉３の略上下両端間にわたり配置されている。本実施例ではラッチ軸１４を断面四角形の角棒状に形成しているが、他の断面形状でもよい。
【００３２】
係止体１７は、図６及び図１１（ａ）〜図１１（ｄ）に示すように、ラッチ軸１４に対して回動可能に被嵌した基部３０と、該基部３０から突出する側面視Ｌ状のアーム部３１と該アーム部３１の先端にラッチ軸１４と略平行に形成さられた閂状の係止爪３２とが一体形成されたものである。基部３０の通孔３３の内径をラッチ軸１４の断面対角線寸法より大径に形成してラッチ軸１４が回転自在となるようにする。また、基部３０の下面には、左右一対の正面視ほぼ三角形状の作動片４０が一体的に突出形成されている。
【００３３】
座体１５における平板状の基部１５ａには、図６及び図１０（ａ）〜図１０（ｃ）に示すように、開閉扉３の裏面側の端面寄り部位に固定するための係合爪３４と、前記係止体１７における横断面ほぼ矩形状の係止爪１５を摺動自在に挿通するための矩形状のガイド孔３５と、このガイド孔３５の両側にて前記係止体１７におけるアーム部３１及び係止爪３２の左右側面を案内するための一対のガイド壁３６とを有し、係止爪３２がガイド孔３５から抜け出した状態でも、係止体１７がラッチ軸１４の軸線方向にのみ摺動自在となるよう構成する。また、座体１５にはラッチ軸１４の先端部を回動自在に支持するための軸孔３７が穿設されている。この摺動によつて係止爪３２の先端部が開閉扉３端面より家具本体１の天板及び地板の内面等に設けた係合部１３に向けて出没自在となるように関連させる。
【００３４】
係止体１７を係合部１３方向に常時突出付勢するための付勢手段としてのつるまき圧縮ばね等の押しバネ３８は、ラッチ軸１４に被嵌され、押しバネ３８の一端はラッチ軸１４に突設したピン３９にて支持され、押しバネ３８の他端は係止体１７の基部３０を回転子１６の方向に押圧するように配置されている（図４参照）。
【００３５】
回転子１６は前記座体１５と係止体１７との間に配置されるものであり、回転子１６の基部４１に穿設された嵌合孔４２は角棒状ラッチ軸１４の断面形状と略同一形状に形成する等して当該ラッチ軸１４と一体的に回転し、かつ、ラッチ軸１４の軸線に沿つて摺動自在となるよう構成する。この挿通孔４２よりも外周より部位には、前記係止体１７おける左右一対の作動片４０と対向する部位に正面視三角形状の左右一対の被作動片４３が上向き突出するように一体的に形成されており、各作動片４０の傾斜面４０ａに摺接する同じく傾斜面４３ａが被作動片４３に形成されている（図６、図１２（ａ）〜図１２（ｃ）参照）。
【００３６】
従って、係止体１７と回転子１６との互に対向しあう部位にはラッチ軸１４の回転方向に沿って高さが変る傾斜面（摺接面）４０ａ，４３ａがそれぞれラッチ軸１４の回転軸線を挟んだ対称位置に形成されていることになる。
【００３７】
なお、実施例では左右一対の作動片４０、被作動片４３を相対向させて設けているが、これは、係止体１７と回転子１６とを開閉扉３の上下端部に配置した場合、ラッチ軸１４のラッチ係合方向（矢印Ｂ方向）への回動に対して右側の作動片４０と被作動片４３とが摺接するか、左側の作動片４０と被作動片４３とが摺接するかの違いがあり、開閉扉３の上下両端部のいずれの部位でも共用できるよう部材の共通化を図ったものである。
【００３８】
上記の構成において、係止体１７、回転子１６、座体１５は押しばね３８力にて常時密接しているが、押しバネ３８にて係止体１７がラッチ軸１４の先端側に押圧されて、当該係止体１７の係止爪３２がキャビネット１の係合部１３に接近している状態（図１３（ａ）参照）では、座体１５の基部１５ａの平面に当接している回転子１６における一方の被記録作動片４３の傾斜面（摺接面）４３ａの大部分と係止体１７における一方の作動片４０における傾斜面４０ａの大部分とが重なる。換言すると、ラッチ軸１４の軸線方向での係止体１７の基部３０と回転子１６の基部４１との距離が縮まる結果、係止体１７における係止爪３２は座体１５におけるガイド孔３５内を貫通し、キャビネット１の係合部１３まで侵入して、開閉扉３は開き不能に保持できるのある。その場合、係止体１７はラッチ軸１４に対して相対的に回動可能であり、且つ押しバネ３８にてラッチ軸１４の軸線に沿って係止体１７は摺動可能であるから、アーム部３１及び係止爪３２はその左右両側面が座体１５の左右一対のガイド壁３６、３６の間に挟まれた状態で円滑に直進できるのである。
【００３９】
そして、係止体１７の係止爪３２がキャビネット１の係合部１３に接近している状態、もしくは、開閉扉３が開いている時など、前記アーム部３１が座体１５の基部１５ａに最接近している状態や係止爪３２が開閉扉３の上下端部方向に突出動している状態（ラッチ保持位置、図１３（ａ）参照）では、ラッチ軸１４に取付けられた把手体７は、その押し操作部２４が把手ハウジング６の中高部２０ａより大きく突出している（図５の実線状態、図７二点鎖線状態参照）。
【００４０】
キャビネット１の間口の閉止状態から開閉扉３を開くには、把手ハウジング６の収納部１１に指を挿入して把手体７における引き操作部２５を手前に引き回動するか、掌や腕で押し操作部２４を前面板９方向に押す（図５の白抜き矢印参照）。これにより、把手体７と共にラッチ軸１４をＡ方向に一定角度（θ）（実施形態では、２６度程度）回動させると、回転子１６も同角度に（θ）回転し、これに応じて互に傾斜面４３ａ，４０ａで摺接している係止体１７を押しバネ３８の付勢力に抗して係合部１３から後退する方向に距離ｔ１移動させ、係止爪３２が係合部１３から外れて開閉できる（図１３（ａ）参照）。
【００４１】
その場合、図４及び図１４に示すように、前記座体１５の配置部近傍などにおいて、開放付勢手段としてのバネ装置４４の基部を、開閉扉３の折返し縁の裏面に固定し、バネ装置４４の前後動する押圧片４５をキャビネット１の開口部の端面４６に押圧するように配置しておくと、係止爪３２が係合部１３から外れた瞬間に、開閉扉３は前記バネ装置４４の付勢力にて開き方向に回動できる。
【００４２】
従って、作業者（ユーザ）が両手に荷物を持っている場合や、身体障害者のように手を使えない、もしくは指の力が弱い人の場合には、前記把手ハウジング６の外周縁部２０より大きく突出している把手体７における押し操作部２４の前面を、作業者の前腕部の外面や肘、掌にて前面板９方向に押すだけで、前述のようにラッチ解除できると共にバネ装置４４の付勢力にて開閉扉３の自由端縁が間口から前方に移動するので、これらの人であっても開閉扉３の開き操作が至極容易になる。
【００４３】
また、前面板９に対して斜め方向に押し操作部２４の前面を押す場合に、外周縁部２０の前面に沿って作業者の前腕部や肘を覆う服の袖がずれ動くが、前述のように、ラッチ解除方向に沿う外周縁部２０の中途がなだらかな凸湾曲状の中高部２０ａに形成されていると把手体７と外周縁部２０との隙間に、服の袖や手が挟まれ難くなるという効果を奏する。
【００４４】
そして、開閉扉３を開いた後把手体７から力を抜くと、押しバネ３８の付勢力により、図１３（ａ）のように係止体１７が座体１５に接近するように元の状態に戻るから、その状態のまま開閉扉３の前面板９等を押して閉止動させると係止爪３２の先端部後面が係合部１３の前側の段部に対して傾斜しているので、いわゆるけり込み作用によって自動的に係合し、閉止状態で係止する。
【００４５】
なお、前記バネ装置４４の基部をキャビネット１本体側の前面に固定し、前後動する押圧片４５を開閉扉３の裏面に押圧付勢するように配置しても良い。ところで、従来のように、把手体の回動操作によりラッチ軸が回動し、このラッチ軸に取付けられた、もしくはラッチ軸の回動に関連させてラッチ爪が回動しながらキャビネット本体の係合部に対して係脱する方式では、前記のように開閉扉３または抽斗４が常時開き方向に付勢されていると、その付勢力によりラッチ爪が係合部に強く当接した状態であるから、ラッチ解除方向に操作するときの把手体の操作力が重くなったり、ラッチ爪が係合部に引っ掛かって、軽くラッチ解除できなかった。本発明では、係止体１７はラッチ軸１４の軸線方向に沿って移動して、キャビネット１の本体における係合部１３に係合するものであって、開閉扉３または抽斗４は前記バネ装置４４（開放付勢手段）により開き方向に常時付勢されているが、係止体１７はラッチ軸１４に沿って直線的に進退動し、その方向と平行状に形成されている係合部１３に対してラッチ解除するので、係合部１３に対する係止体１７の引っ掛かりが発生せず、軽い力でラッチ解除できるのである。
【００４６】
前記付勢手段としての押しバネ３８の付勢力により、ラッチ軸１４がラッチ保持位置に回動した姿勢のとき、把手体７の押し操作部２４が、前面板９より前方に突出させる姿勢に保持させることができるから、作業者は把手体７からラッチ解除方向への操作力を抜くだけで、簡単に元の状態に戻すことができるという効果を奏する。
【００４７】
なお、図４に示すように開閉扉３の裏面に錠前４７を設けて、そのロックボルト４８を角棒状のラッチ軸１４の側面に当接させると、ラッチ軸１４の回転を不能して、ロックできるようにしている。
【図面の簡単な説明】
【００４８】
【図１】本発明のキャビネットの正面図である。
【図２】キャビネットの開閉扉及び抽斗の斜視図である。
【図３】把手部の斜視図である。
【図４】ラッチ装置の正面配置図である。
【図５】図４のＶ−Ｖ線矢視図である。
【図６】ラッチ機構部の角部品の斜視図である。
【図７】図４のVII −VII 線矢視図である。
【図８】（ａ）は把手ハウジングの正面図、（ｂ）は左側面図、（ｃ）は一部切欠き平面図である。
【図９】（ａ）は把手体の正面図、（ｂ）は右側面図、（ｃ）は平面図、（ｄ）は左側面図である。
【図１０】（ａ）は座体の平面図、（ｂ）は裏面図、（ｃ）は左側面図である。
【図１１】（ａ）は係止体の正面図、（ｂ）は左側面図、（ｃ）は平面図、（ｄ）は下面図である。
【図１２】（ａ）は回転子の正面図、（ｂ）は左側面図、（ｃ）は平面図である。
【図１３】（ａ）はラッチ保持状態の各部品の位置を示す図７のXIIIa −XIIIa 矢視一部切欠き側面図、（ｂ）はラッチ解除状態の各部品の位置を示す一部切欠き側面図である。
【図１４】図７のXIV −XIV 矢視で示すバネ装置の側面図である。
【符号の説明】
【００４９】
１    キャビネット
３    開閉扉
４    抽斗
５    ラッチ装置
６    把手ハウジング
７    把手体
９    前面板
１０    把手部
１１    収納部
１２    ラッチ機構部
１４    ラッチ軸
１５    座体
１６    回転子
１７    係止体
２０    外周縁部
２０ａ    中高部
２４    押し操作部
２５    引き操作部
３１    アーム部
３２    係止爪
４０    作動片
４３    被作動片
４０ａ，４３ａ    傾斜面
３８    付勢手段としての押しバネ
４４    開放付勢手段としてのバネ装置
【図１】
2005155084.tif 000003
【図２】
2005155084.tif 000004
【図３】
2005155084.tif 000005
【図４】
2005155084.tif 000006
【図５】
2005155084.tif 000007
【図６】
2005155084.tif 000008
【図７】
2005155084.tif 000009
【図８】
2005155084.tif 000010
【図９】
2005155084.tif 000011
【図１０】
2005155084.tif 000012
【図１１】
2005155084.tif 000013
【図１２】
2005155084.tif 000014
【図１３】
2005155084.tif 000015
【図１４】
2005155084.tif 000016